(57)【要約】【課題】右打ちされた球が可変入賞部品に入賞しやすくなるようにする。【解決手段】ガイドレール２や跳返部材１８の設けられた遊技盤１の構造を変えることなく、追加跳返部材１９が跳返部材１８よりも左上に位置してガイドレール２に近接して設けられ、右打ちされた球が追加跳返部材１９に衝突して跳ね返され、当該跳ね返された球が開いた開閉体２４から上可変入賞部品９に入賞する可能性は増加し、上可変入賞部品９と下可変入賞部品１０とが大形に構成され、下可変入賞部品１０が上可変入賞部品９とアウト口４との間に配置されている。【選択図】図１
2009072348.tif 000002
【特許請求の範囲】
【請求項１】
遊技盤の前面にはガイドレールが設けられ、ガイドレールで囲まれた遊技盤の前面の中央部には開閉体を有する可変入賞部品が設けられ、ガイドレールで囲まれた遊技盤の前面の可変入賞部品よりも左側部には可変入賞部品の開閉体の開閉のきっかけを作る左始動部品が設けられ、ガイドレールで囲まれた遊技盤の前面の可変入賞部品よりも右側部には可変入賞部品の開閉体の開閉のきっかけを作る右始動部品が設けられ、ガイドレールで囲まれた遊技盤の前面の右斜め上には跳返部材がガイドレールに近接して設けられ、可変入賞部品の開閉体を開閉させるために左始動部品に球を集中させるように左打ちが行われ、左始動部品への入賞をきっかけとして可変入賞部品の開閉体が開閉した後、可変入賞部品の開閉体を開閉させるために右始動部品に球を集中させるように右打ちが行われるパチンコ遊技機の遊技盤において、追加跳返部材が跳返部材よりも左上に位置して球をガイドレールと追加跳返部材との間の隙間に入れることなく可変入賞部品の側に跳ね返すようにガイドレールに近接して設けられたことを特徴とするパチンコ遊技機の遊技盤。
【請求項２】
ガイドレールで囲まれた遊技盤の前面には追加跳返部材で可変入賞部品の側に跳ね返された球を左斜め下方に誘導する連釘群が設けられたことを特徴とする請求項１記載のパチンコ遊技機の遊技盤。
【発明の詳細な説明】
【技術分野】
【０００１】
本発明は、右打ちされた球が可変入賞部品に入賞しやすくなるパチンコ遊技機の遊技盤に関する。
【背景技術】
【０００２】
図５は、特許文献１で開示されたパチンコ遊技機の遊技盤１の正面を示す。図５において、遊技盤１の前面にはガイドレール２が設けられ、ガイドレール２で囲まれた遊技盤１の前面の中央部には開閉体６２を有する可変入賞部品６１が設けられ、ガイドレール２で囲まれた遊技盤１の前面の可変入賞部品６１よりも左側部には開閉体６２の開閉のきっかけを作る左始動部品６３が設けられ、ガイドレール２で囲まれた遊技盤１の前面の可変入賞部品６１よりも右側部には開閉体６２の開閉のきっかけを作る右始動部品６４が設けられ、ガイドレール２で囲まれた遊技盤１の前面の右斜め上には跳返部材１８がガイドレール２に近接して設けられ、開閉体６２を開閉させるために左始動部品６３に球を集中させるように左打ちが行われ、左始動部品６３への入賞をきっかけとして開閉体６２が開閉した後、開閉体６２を開閉させるために右始動部品６４に球を集中させるように右打ちが行われるようになっている。しかしながら、右打ちされた球が跳返部材１８で跳ね返った後に開いた開閉体６２から可変入賞部品６１に入賞しやすくするには、可変入賞部品６１が下方に配置されることになり、可変入賞部品６１が下方に配置されると、可変入賞部品６１とアウト口との間に別の可変入賞部品を配置することが不可能になるため、可変入賞部品６１および別の可変入賞部品を遊技盤１の中央部に上下に設けるには、可変入賞部品６１および別の可変入賞部品が小形になり、遊技性に欠けるという欠点がある。
【特許文献１】特開２００５−２６１５７６号公報
【発明の開示】
【発明が解決しようとする課題】
【０００３】
発明が解決しようとする問題点は、右打ちされた球が開いた開閉体から可変入賞部品に入賞しやすくするとともに、可変入賞部品とアウト口との間に別の可変入賞部品を配置するには、可変入賞部品および別の可変入賞部品が小形にならざるを得ないという点である。
【課題を解決するための手段】
【０００４】
本発明に係るパチンコ遊技機の遊技盤は、遊技盤の前面にはガイドレールが設けられ、ガイドレールで囲まれた遊技盤の前面の中央部には開閉体を有する可変入賞部品が設けられ、ガイドレールで囲まれた遊技盤の前面の可変入賞部品よりも左側部には可変入賞部品の開閉体の開閉のきっかけを作る左始動部品が設けられ、ガイドレールで囲まれた遊技盤の前面の可変入賞部品よりも右側部には可変入賞部品の開閉体の開閉のきっかけを作る右始動部品が設けられ、ガイドレールで囲まれた遊技盤の前面の右斜め上には跳返部材がガイドレールに近接して設けられ、可変入賞部品の開閉体を開閉させるために左始動部品に球を集中させるように左打ちが行われ、左始動部品への入賞をきっかけとして可変入賞部品の開閉体が開閉した後、可変入賞部品の開閉体を開閉させるために右始動部品に球を集中させるように右打ちが行われるパチンコ遊技機の遊技盤において、追加跳返部材が跳返部材よりも左上に位置して球をガイドレールと追加跳返部材との間の隙間に入れることなく可変入賞部品の側に跳ね返すようにガイドレールに近接して設けられたことを最も主要な特徴とする。ガイドレールで囲まれた遊技盤の前面には追加跳返部材で可変入賞部品の側に跳ね返された球を左斜め下方に誘導する連釘群が設けられてもよい。
【発明の効果】
【０００５】
本発明に係るパチンコ遊技機の遊技盤は、ガイドレールや跳返部材の設けられた遊技盤の構造を変えることなく、追加跳返部材が跳返部材よりも左上に位置してガイドレールに近接して設けられているので、右打ちされた球がガイドレールと追加跳返部材との間の隙間に入ることなく追加跳返部材に衝突して跳ね返されることによって、当該跳ね返された球が開いた開閉体から可変入賞部品に入賞する可能性は増加し、遊技性が向上するという利点がある。ガイドレールで囲まれた遊技盤の前面には追加跳返部材で可変入賞部品の側に跳ね返された球を左斜め下方に誘導する連釘群が設けられれば、可変入賞部品に入賞する可能性が高くなるという利点がある。
【発明を実施するための最良の形態】
【０００６】
図１は、遊技盤１の正面を示す。図２は、上可変入賞部品９の周りの遊技盤１の正面を示す。図３は、遊技盤１における左打ちまたは右打ちされた球の経路Ｘ１；Ｘ２を示す。図４は、パチンコ遊技機の正面を示す。本明細書において、「前」、「後」、「左」、「右」、「上」、「下」の方向は、図４の状態に遊技機枠５１を置いて図４の紙面の表側から見た場合に特定される方向である。
【０００７】
図１を参照し、遊技盤１の前面の構造について説明する。遊技盤１の前面には、ガイドレール２、発射通路３、アウト口４、一般入賞部品５、左始動部品６、右通過部品７、右始動部品８、上可変入賞部品９、下可変入賞部品１０、第１特別図柄表示器１１、第２特別図柄表示器１２、普通図柄表示器１３、左下部品１４、右上部品１５、レール連結部品１６、球戻防止弁１７、跳返部材１８、追加跳返部材１９、遊技釘２０、風車２１などが設けられる。
【０００８】
右始動部品８は、電動チューリップとも呼ばれ、開閉体２２を備える。開閉体２２は、図示のように閉じた場合、遊技領域５７から球を右始動部品８に入れない構造である。上可変入賞部品９は、センター役物とも呼ばれ、仕切壁２３、開閉体２４、特定入賞領域２５、特定入賞表示灯２６などを備える。開閉体２４が、図示のように閉じた場合、遊技領域５７から球を上可変入賞部品９に入れない構造である。
【０００９】
下可変入賞部品１０は、アタッカーとも呼ばれ、開閉体２７および突起２８；２９を備える。開閉体２７は、図示のように閉じた場合、遊技領域５７から球を下可変入賞部品１０に入れない構造である。突起２８は、開閉体２７から左右両側に離れて下可変入賞部品１０の前面から前側に突出する。突起２９は、開閉体２７や突起２８から下方に離れて左右に相対峙し、下可変入賞部品１０の前面から前側に突出する。突起２８における左右に相対峙する間隔、突起２９における左右に相対峙する間隔、突起２８と突起２９との間の隙間は、球が通過可能な寸法である。遊技釘２０は、多数本設けられることから、それらの１本１本に符号「２０」を付ける代わりに、黒く塗り潰した丸（黒丸）で図示した。
【００１０】
遊技盤１の前面の中央部には大形の上可変入賞部品９と下可変入賞部品１０とが上下に並んで設けられ、遊技盤１の前面の上可変入賞部品９よりも左側部には上可変入賞部品９の開閉体２４の開閉のきっかけを作る左始動部品６が設けられ、遊技盤１の前面の上可変入賞部品９よりも右側部には上可変入賞部品９の開閉体２４の開閉のきっかけを作る右始動部品８が設けられている。上記左始動部品６の設けられる左側部は、上可変入賞部品９とその左側におけるガイドレール２との間の部分である。上記右始動部品８の設けられる右側部は、上可変入賞部品９とその右側におけるガイドレール２との間の部分である。遊技盤１の前面には、ゴムなどの弾性体からなる追加跳返部材１９がゴムなどの弾性体からなる跳返部材１８よりも左上方に位置してガイドレール２に接近して設けられている。
【００１１】
パチンコ遊技の一例としては、大まかには、開閉体２４が閉じた状態において、先ず、球が左始動部品６に入賞することによって、開閉体２４が開閉する。この左始動部品６への入賞をきっかけとして開閉体２４が開いた状態において、別の球が上可変入賞部品９の仕切壁２３で囲まれた内部に進入して特定入賞領域２５に入ることによって、遊技者に右打ちを開始させるための表示が行われ、時短遊技が制御装置に設定され、右始動部品８の開閉体２２が開閉する。次に、別の球が右始動部品８に入賞することによって、開閉体２４が開閉する。この右始動部品８への入賞をきっかけとして開閉体２４が開いた状態において、別の球が上可変入賞部品９の仕切壁２３で囲まれた内部に進入して特定入賞領域２５に入ることによって、下可変入賞部品１０の開閉体２７が開閉する大当たりの遊技状態になるようになっている。
【００１２】
開閉体２２の開閉は、右始動部品８への球の入賞に関わらず規定時間または規定回数のいずれかで終了する。開閉体２４の開閉は、上可変入賞部品９への球の入賞に関わらず規定時間または規定回数のいずれかで終了する。開閉体２７の開閉は、下可変入賞部品１０への球の入賞に関わらず規定時間または規定回数のいずれかで終了する。
【００１３】
つまり、図１における遊技盤１は、遊技盤１の前面の中央部には開閉体２４を有する上可変入賞部品９が設けられ、遊技盤１の前面の上可変入賞部品９よりも左側部には開閉体２４の開閉のきっかけを作る左始動部品６が設けられ、遊技盤１の前面の上可変入賞部品９よりも右側部には開閉体２４の開閉のきっかけを作る右始動部品８が設けられ、上可変入賞部品９の開閉体２４を開閉させるために左始動部品６に球を集中させるように左打ちが行われ、左始動部品６への入賞をきっかけとして開閉体２４が開閉し、時短表示後に、上可変入賞部品９の開閉体２４を開閉させるために右始動部品８に球を集中させるように右打ちが行われるようになっている。
【００１４】
また、右上部品１５は、レール連結部品１６と対応し、遊技盤１の前面に設けられる。レール連結部品１６は、上側のガイドレール２の右端部と下側のガイドレール２の右端部と互いに連結するものであって、遊技盤１の前面に設けられる。跳返部材１８は、ゴムなどの弾性体から構成され、レール連結部品１６に設けられる。追加跳返部材１９は、ゴムなどの弾性体から構成され、右上部品１５におけるレール連結部品１６よりも左上部に突出した端部に設けられる。よって、跳返部材１８がレール連結部品１６に設けられ、追加跳返部材１９が上可変入賞部品９や跳返部材１８よりも左上部でガイドレール２に球の通過不可能なように近接して遊技盤１の前面に設けられる。よって、業界で規格化されてきている２本のガイドレール２を作り変える必要がなく、ガイドレール２を遊技盤１に取り付ける機械も作り変える必要がなく、打ちされた球がガイドレール２と追加跳返部材１９との間の隙間に入ることなく追加跳返部材１９の左面に衝突して跳ね返されるので、上可変入賞部品９と下可変入賞部品１０とが大形に構成され、下可変入賞部品１０が上可変入賞部品９とアウト口４との間に別の可変入賞部品として配置できるという利点がある。
【００１５】
図２を参照し、上可変入賞部品９の周りの遊技釘２０の構成について説明する。上可変入賞部品９の周りにおける遊技盤１には、天釘３０、左第１連釘群３１、調整釘３２乃至３４、左第２連釘群３５、調整釘３６乃至３８、障害釘３９、右第１連釘群４０、調整釘４１乃至４３、右第２連釘群４４、調整釘４５乃至４７が設けられる。
【００１６】
天釘３０は、複数本の遊技釘２０から構成され、上可変入賞部品９よりも上方に配置される。天釘３０を構成する遊技釘２０どうしは、互いに球の通過可能な間隔で横方向に一列に配置される。左第１連釘群３１は、複数本の遊技釘２０から構成され、左上の風車２１より上方に配置される。左第１連釘群３１を構成する遊技釘２０どうしは、互いに球の通過不可能な間隔で右側に下り勾配となるように一列に配置される。そして、左第１連釘群３１は、ガイドレール２と左第１連釘群３１との間の隙間を左側から右側に越えた後に左上の風車２１に向かってきた球を左上の風車２１に衝突しないように受け止めて右斜め下方に誘導する。
【００１７】
調整釘３２乃至３４は、互いに１本の遊技釘２０から構成される。調整釘３２乃至３４における相互間の隙間は、１個の球が通過可能であるものの２個の球が同時に通過できない寸法である。調整釘３２は、左第１連釘群３１より右斜め下に配置され、左第１連釘群３１に球の通過不可能な間隔で隣接する。調整釘３３は、調整釘３２の右斜め下に配置される。調整釘３４は、調整釘３２より右側でかつ調整釘３３より右斜め上に配置される。
【００１８】
左第２連釘群３５は、複数本の遊技釘２０から構成され、調整釘３３より右斜め下に配置され、調整釘３３に球の通過不可能な間隔で隣接する。左第２連釘群３５を構成する遊技釘２０どうしは、互いに球の通過不可能な間隔で右側に下り勾配となるように一列に配置される。そして、左第２連釘群３５は、上方から落下してきた球または左第１連釘群３１の方から落下してきた球を受け止めて右斜め下方に誘導する。
【００１９】
調整釘３６乃至３８は、互いに１本の遊技釘２０から構成される。調整釘３６乃至３８における相互間の隙間は、１個の球が通過可能であるものの２個の球が同時に通過できない寸法である。調整釘３６は、左第２連釘群３５より右斜め下に配置され、左第２連釘群３５に球の通過不可能な間隔で隣接する。調整釘３７は、調整釘３６と左側の開いた開閉体２４との間に配置される。左側の開いた開閉体２４と調整釘３７との間の隙間は、１個の球が通過可能であるものの２個の球が同時に通過できない寸法である。調整釘３８は、調整釘３７より右上に配置される。よって、左第２連釘群３５から調整釘３６を右側に超えた球、調整釘３７と調整釘３８との間の隙間を右側に通過した球は、左側の開いた開閉体２４から上可変入賞部品９に入賞する可能性が高い。また、調整釘３６と調整釘３７との間の間隔が小さくなると、球は調整釘３７と調整釘３８との間を通過しやすくなる。調整釘３７と調整釘３８との間の間隔が小さくなると、球は調整釘３６と調整釘３７との間を通過しやすくなる。
【００２０】
障害釘３９は、追加跳返部材１９で跳ね返された球を受け止めて下方に落下させるものであって、追加跳返部材１９よりも左側に配置され、複数本の遊技釘２０から構成される。障害釘３９を構成する遊技釘２０どうしは、互いに球の通過不可能な間隔で上下方向に一列に配置される。追加跳返部材１９の左面と障害釘３９との間の隙間は、１個の球が通過可能であるものの２個の球が同時に通過できない寸法である。障害釘３９は、１本の遊技釘２０から構成してもよいが、複数本の遊技釘２０から構成されれば、追加跳返部材１９から跳ね返された球を追加跳返部材１９と障害釘３９との間の隙間から下方に誘導する可能性が高くなる。追加跳返部材１９の左面と障害釘３９との間の隙間は、２個の球が同時に通過可能であってもよいが、１個の球が通過可能であるものの２個の球が同時に通過できないように構成すれば、追加跳返部材１９から跳ね返された球が障害釘３９で受け止められて迅速に落下する。つまり、ガイドレール２で囲まれた遊技盤１の前面には障害釘３９が追加跳返部材１９よりも左側に球の通過可能に離れて設けられたので、障害釘３９が追加跳返部材１９から跳ね返された球を受け止められて適切に落下させることができるという利点がある。
【００２１】
右第１連釘群４０は、追加跳返部材１９と障害釘３９との間の隙間を落下した球を左斜め下方に誘導する連釘群を構成し、右上の風車２１より上方に配置され、複数本の遊技釘２０から構成される。右第１連釘群４０を構成する遊技釘２０どうしは、互いに球の通過不可能な間隔で左側に下り勾配となるように一列に配置される。追加跳返部材１９と右第１連釘群４０との間の隙間は、球の通過不可能な寸法である。障害釘３９と右第１連釘群４０との間の隙間は、１個の球が通過可能であるものの２個の球が同時に通過できない寸法である。そして、右第１連釘群４０は、追加跳返部材１９と障害釘３９との間の隙間を落下した球を右上の風車２１に衝突しないように受け止めて左斜め下方に誘導する。つまり、ガイドレール２で囲まれた遊技盤１の前面には追加跳返部材１９と障害釘３９との間の隙間を落下した球を左斜め下方に誘導する右第１連釘群４０が設けられているので、開閉体２４が開いた場合、右第１連釘群４０で誘導された球が右側の開閉体２４から上可変入賞部品９に入賞する可能性が高くなるという利点がある。
【００２２】
調整釘４１乃至４３は、互いに１本の遊技釘２０から構成される。調整釘４１乃至４３における相互間の隙間は、１個の球が通過可能であるものの２個の球が同時に通過できない寸法である。調整釘４１は、右第１連釘群４０より左斜め下に配置され、右第１連釘群４０に球の通過不可能な間隔で隣接する。調整釘４２は、調整釘４１の左斜め下に配置される。調整釘４３は、調整釘４１より左側でかつ調整釘４２より左斜め上に配置される。
【００２３】
右第２連釘群４４は、複数本の遊技釘２０から構成され、調整釘４２より左斜め下に配置され、調整釘４２に球の通過不可能な間隔で隣接する。右第２連釘群４４を構成する遊技釘２０どうしは、互いに球の通過不可能な間隔で左側に下り勾配となるように一列に配置される。そして、右第２連釘群４４は、上方から落下してきた球または右第１連釘群４０の方から落下してきた球を受け止めて右斜め下方に誘導する。追加跳返部材１９と障害釘３９との間の隙間を落下した球を左斜め下方に誘導する連釘群が右第１連釘群４０と右第２連釘群４４とに分かれており、右第１連釘群４０と右第２連釘群４４との間の隙間が球の通過可能な寸法になっているので、球が右第１連釘群４０から右第２連釘群４４に飛び移る場合と、球が右第１連釘群４０から落下する場合とが生じるという利点がある。
【００２４】
調整釘４５乃至４７は、互いに１本の遊技釘２０から構成される。調整釘４５乃至４７における相互間の隙間は、１個の球が通過可能であるものの２個の球が同時に通過できない寸法である。調整釘４５は、右第２連釘群４４より左斜め下に配置され、右第２連釘群４４に球の通過不可能な間隔で隣接する。調整釘４６は、調整釘４５と右側の開いた開閉体２４との間に配置される。右側の開いた開閉体２４と調整釘４６との間の隙間は、１個の球が通過可能であるものの２個の球が同時に通過できない寸法である。調整釘４７は、調整釘４６より左上に配置される。よって、右第２連釘群４４から調整釘４５を左側に超えた球、調整釘４６と調整釘４７との間の隙間を左側に通過した球は、右側の開いた開閉体２４から上可変入賞部品９に入賞する可能性が高い。また、調整釘４５と調整釘４６との間の間隔が小さくなると、球は調整釘４６と調整釘４７との間を通過しやすくなる。調整釘４６と調整釘４７との間の間隔が小さくなると、球は調整釘４５と調整釘４６との間を通過しやすくなる。
【００２５】
調整釘３２乃至３４；３６乃至３８、４１乃至４３；４５乃至４７は、それぞれ遊技盤１から前方に突出した部分が遊技盤１に打ち込まれた部分を定点として左右上下の方向に斜めになるように調整されることによって、各調整釘３２乃至３４；３６乃至３８、４１乃至４３；４５乃至４７での隙間が狭くなって球を通過しにくくするかまたは広くなって球を通過しやすくするように調整される。
【００２６】
図３を参照し、遊技盤１に左打ちまたは右打ちされた球の経路Ｘ１；Ｘ２について説明する。先ず、左打ちされた球の経路Ｘ１について説明する。左打ちされた球は、発射通路３から球戻防止弁１７を押し開けて左第１連釘群３１を右に越えた場所に到達して最も左側に位置する天釘３０に左側から衝突して左斜め下に跳ね返された後、自重で落下し、調整釘３２と調整釘３３との間の隙間を落下するか、または、左第２連釘群３５から左側の開閉体２４に向かって落下し、左始動部品６に入賞するか、または、下方に落下して突起２８と突起２９との間の隙間を経由してアウト口４に到達する。
【００２７】
次に、右打ちされた球の経路Ｘ２について説明する。右打ちされた球は、発射通路３から球戻防止弁１７を押し開けて追加跳返部材１９に衝突して追加跳返部材１９と障害釘３９との間の隙間から右第１連釘群４０の上に落下し、右第１連釘群４０から調整釘４１を左側に超えて調整釘４２と調整釘４３との間の隙間から右第２連釘群４４の上を流下した後、調整釘４５と調整釘４６との間の隙間から下方に落下するか、または、調整釘４６と調整釘４７との間の隙間から下方に落下し、右通過部品７を通過するか、または、上可変入賞部品９と右通過部品７との間の隙間から下方に落下して突起２８と上可変入賞部品９との間の隙間を経由してアウト口４に到達する。
【００２８】
図４を参照し、パチンコ遊技機について説明する。パチンコ遊技機の遊技機枠５１は、遊技盤１を交換可能に入れる容器として、遊技機設置構造体に設置される。遊技機設置構造体は、遊技店のパチンコ遊技機を設置する島とも呼ばれる設備である。遊技機枠５１の前部には、窓５２、窓パネル５３、受皿５４、発射操作機構５５が設けられる。遊技機枠５１の内部には、発射機構５６が設けられる。
【００２９】
遊技盤１が遊技機枠５１の内部に装着された場合、遊技領域５７が窓パネル５３と遊技盤１の前面との間におけるガイドレール２で囲まれた球の飛び交う領域として形成され、ガイドレール２、発射通路３、アウト口４、一般入賞部品５、左始動部品６、右通過部品７、右始動部品８、上可変入賞部品９、下可変入賞部品１０、第１特別図柄表示器１１、第２特別図柄表示器１２、普通図柄表示器１３、左下部品１４、右上部品１５、レール連結部品１６、球戻防止弁１７、跳返部材１８、追加跳返部材１９、遊技釘２０（図１参照）、風車２１などが、遊技機枠５１の前側から窓５２および窓パネル５３を通して視認可能になる。
【００３０】
パチンコ遊技の一例について説明すると、遊技盤１が遊技機枠５１に装着され、遊技者が受皿５４にパチンコ球と呼ばれる球を入れ、遊技者が発射操作機構５５を操作するのに伴い、発射機構５６が発射操作機構５５の操作量に応じた発射力で駆動し、発射機構５６が受皿５４から遊技機枠５１の内部に取り込まれた球を１個ずつ発射通路３に向けて発射する。発射通路３に発射された球は、球戻防止弁１７を押し開いて発射通路３から遊技領域５７の上部に到達する。遊技領域５７に到達した球が、球戻防止弁１７から離れると、球戻防止弁１７は自身の弾性で復元して発射通路３を塞ぐ。遊技領域５７に到達した球が、遊技領域５７を流下する過程において、一般入賞部品５や左始動部品６の何れか１つに入賞するごとに、当該一般入賞部品５または左始動部品６に入賞した球を検出した球検出器が入賞信号を図外の制御装置に出力し、図外の制御装置が図外の球払出機構を制御し、球払出機構が賞球としての球を受皿５４に払い出す。
【００３１】
開閉体２２；２４；２７が閉じた状態においては、遊技領域５７に到達した球が左始動部品６に入賞するように、遊技者は、左打ちを開始する。その場合、遊技者は、発射機構５６から発射された球が左上の風車２１と開閉体２４との間に到達するように、発射操作機構５５の操作を調整する。遊技領域５７に到達した球が左始動部品６に入賞すると、左始動部品６に入賞した球を検出した図外の球検出器が左始動信号を制御装置に出力し、制御装置が左始動部品６への球の入賞に対応する内部抽選を実行し、その実行結果を反映するように制御装置が第１特別図柄表示器１１を制御し、さらに、制御装置が球払出機構を制御し、球払出機構が賞球としての球を受皿５４に払い出す。
【００３２】
左始動部品６への球の入賞に対応する内部抽選が外れの場合、制御装置が外れを表示するように第１特別図柄表示器１１を制御する。左始動部品６への球の入賞に対応する内部抽選が当たりの場合、制御装置が当たりを表示するように第１特別図柄表示器１１を制御した後、制御装置が開閉体２４を開閉する駆動源を制御し、開閉体２４が開閉する。開閉体２４が開いた状態において、遊技領域５７を流下する球が、上可変入賞部品９に入賞すると、入賞するごとに、上可変入賞部品９に入賞した球を検出した図外の球検出器が入賞信号を制御装置に出力し、制御装置が球払出機構を制御し、球払出機構が賞球としての球を受皿５４に払い出す。
【００３３】
上可変入賞部品９に入賞した球が、仕切壁２３で囲まれた内部において、図外の外れ領域に入ると、当該外れ領域に入った球は遊技盤１の後方に排出される。上可変入賞部品９に入賞した球が、仕切壁２３で囲まれた内部において、特定入賞領域２５に入ると、当該特定入賞領域２５に入った球は遊技盤１の後方に排出され、特定入賞領域２５に入った球を検出した図外の球検出器が特定入賞信号を制御装置に出力し、制御装置が特定入賞表示灯２６を点灯、点滅、消灯することによって特定入賞による当たりを遊技者に知らせるように制御し、制御装置が時短遊技を開始する。
【００３４】
そして、上記特定入賞表示灯２６を遊技者が見ることによって特定入賞による当たりを確認すると、遊技領域５７に到達した球が右通過部品７や右始動部品８に入賞するように、遊技者は、右打ちを開始する。その場合、遊技者は、発射機構５６から発射された球が右上の風車２１の周りや追加跳返部材１９に到達するように、発射操作機構５５の操作を調整する。遊技領域５７に到達した球が右通過部品７を遊技盤１の前面から遊技盤１の前面に排出されるように通過すると、右通過部品７を通過した球を検出した図外の球検出器がゲート信号を制御装置に出力し、制御装置が右通過部品７への球の通過に対応する内部抽選を実行し、その実行結果を反映するように制御装置が普通図柄表示器１３を制御する。
【００３５】
右通過部品７への球の通過に対応する内部抽選が外れの場合、制御装置が外れを表示するように普通図柄表示器１３を制御する。右通過部品７への球の通過に対応する内部抽選が当たりの場合、制御装置が当たりを表示するように普通図柄表示器１３を制御した後、制御装置が開閉体２２を開閉する駆動源を制御し、開閉体２２が開閉する。開閉体２２が開いた状態において、遊技領域５７を流下する球が、右始動部品８に入賞すると、入賞するごとに、上可変入賞部品９に入賞した球を検出した図外の球検出器が右始動信号を制御装置に出力し、制御装置が球払出機構および開閉体２４を開閉する駆動源を制御し、球払出機構が賞球としての球を受皿５４に払い出し、開閉体２４が開閉する。
【００３６】
右始動部品８への入賞後の開閉体２４が開いた状態において、遊技領域５７を流下する球が、上可変入賞部品９に入賞すると、入賞するごとに、上可変入賞部品９に入賞した球を検出した図外の球検出器が入賞信号を制御装置に出力し、制御装置が球払出機構を制御し、球払出機構が賞球としての球を受皿５４に払い出す。上可変入賞部品９に入賞した球が、仕切壁２３で囲まれた内部において、図外の外れ領域に入ると、当該外れ領域に入った球は遊技盤１の後方に排出される。上可変入賞部品９に入賞した球が、仕切壁２３で囲まれた内部において、特定入賞領域２５に入ると、当該特定入賞領域２５に入った球は遊技盤１の後方に排出され、特定入賞領域２５に入った球を検出した図外の球検出器が特定入賞信号を制御装置に出力し、制御装置が下可変入賞部品１０の開閉体２７の開閉する大当たり遊技を開始する。
【００３７】
大当たり遊技は、開閉体２７の開閉の開始からの経過時間がラウンド規定時間に到達するかまたは下可変入賞部品１０への球の入賞個数が入賞規定個数に到達するかのいずれか１つが成立したら開閉体２７を閉じて１ラウンドを終了し、開閉体２７の開閉を再開し、最大ラウンド数まで繰り返される遊技形態である。一般入賞部品５、左始動部品６、右始動部品８、上可変入賞部品９、下可変入賞部品１０のいずれかに入賞した球は、遊技盤１の後方に排出される。一般入賞部品５、左始動部品６、右始動部品８、上可変入賞部品９、下可変入賞部品１０のいずれにも入らないで、遊技領域５７の最下部に到達した球は、アウト口４から遊技盤１の後方に排出される。
【産業上の利用可能性】
【００３８】
図１において、左始動部品６は、開閉体を有する構造でもよい。右始動部品８は、開閉体２２が開閉体２７のように１体であって、その開閉体２２が前方斜めに開きかつ垂直に閉じるように前後方向に開閉する構造でもよい。上可変入賞部品９は、開閉体２４が開閉体２７のように１体であって、その開閉体２４が前方斜めに開きかつ垂直に閉じるように前後方向に開閉する構造でもよい。下可変入賞部品１０は、開閉体２７が開閉体２４のように左右に１体であって、左側の開閉体２４が左斜めに開きかつ垂直に閉じ、右側の開閉体２４が右斜めに開きかつ垂直に閉じるというように、左右の開閉体２７が左右方向に開閉する構造でもよい。下可変入賞部品１０が遊技盤１から除去され、上可変入賞部品９が遊技盤の中央部に設けられ、上可変入賞部品９を可変入賞部品と読み替える構造でもよい。この場合、可変入賞部品の上下寸法は、上可変入賞部品９よりも大きくできる。
【図面の簡単な説明】
【００３９】
【図１】遊技盤の正面図（最良の形態）。
【図２】遊技盤における上可変入賞部品の周りの正面図（最良の形態）。
【図３】遊技盤の左打ちまたは右打ちされた球の経路の正面図（最良の形態）。
【図４】パチンコ遊技機の正面図（最良の形態）。
【図５】遊技盤の正面図（従来）。
【符号の説明】
【００４０】
１は遊技盤、２はガイドレール、３は発射通路、４はアウト口、５は一般入賞部品、６は左始動部品、７は右通過部品、８は右始動部品、９は上可変入賞部品、１０は下可変入賞部品、１１は第１特別図柄表示器、１２は第２特別図柄表示器、１３は普通図柄表示器、１４は左下部品、１５は右上部品、１６はレール連結部品、１７は球戻防止弁、１８は跳返部材、１９は追加跳返部材、２０は遊技釘、２１は風車、２２は開閉体、２３は仕切壁、２４は開閉体、２５は特定入賞領域、２６は特定入賞表示灯、２７は開閉体、２８；２９は突起、３０は天釘、３１は左第１連釘群、３２乃至３４は調整釘、３５は左第２連釘群、３６乃至３８は調整釘、３９は障害釘、４０は右第１連釘群、４１乃至４３は調整釘、４４は右第２連釘群、４５乃至４７は調整釘、４８乃至５０は欠番、５１は遊技機枠、５２は窓、５３は窓パネル、５４は受皿、５５は発射操作機構、５６は発射機構、５７は遊技領域、５８乃至６０は欠番、６１は可変入賞部品、６２は開閉体、６３は左始動部品、６４は右始動部品。
【図１】
2009072348.tif 000003
【図２】
2009072348.tif 000004
【図３】
2009072348.tif 000005
【図４】
2009072348.tif 000006
【図５】
2009072348.tif 000007